(57)【特許請求の範囲】
【請求項１】
建物躯体に被せられる笠木と、この笠木の開口端部を塞ぐエンドキャップとを含んで形成される笠木の端部構造において、前記エンドキャップは、垂直な板状の端面部材と、この端面部材に端部が接合された水平な板状の取付部と、前記端面部材の前記取付部側の側面である前記笠木側の側面に取り付けられ、前記笠木の内面に弾性圧縮されて密着するシール部材とを有し、前記取付部には前記笠木の長さ方向に長い長孔が形成されているとともに、この取付部は、前記建物躯体に結合される中間部材に上方へ突出して形成された２個の突条の間に嵌合された状態でこの中間部材に載せられ、かつ、前記エンドキャップは、前記取付部の長孔に挿通されたビスによって前記中間部材と共に前記建物躯体に共締め結合で取り付けられていて前記笠木には取り付けられていないことを特徴とする笠木の端部構造。
【請求項２】
請求項１に記載の笠木の端部構造において、前記中間部材は、前記笠木を前記建物躯体に取り付けるためのブラケットであることを特徴とする笠木の端部構造。
【請求項３】
請求項１又は２に記載の笠木の端部構造において、前記エンドキャップの前記笠木側とは反対側の側面には、建物壁面と前記笠木との間に充填されるコーキング材を受けるコーキング受け部材が設けられていることを特徴とする笠木の端部構造。
【発明の詳細な説明】
【０００１】
【発明の属する技術分野】
本発明は、建物躯体に被せられる笠木の端部の構造に係り、例えば、バルコニの腰壁に被冠される笠木に利用できるものである。
【０００２】
【背景技術】
建物外部に張り出すバルコニの腰壁の上面には、体裁を良好としかつ防水性を確保するために笠木が被せられる。連続する同一縦断面を有するこの笠木の開口端部にはエンドキャップが配設され、このエンドキャップによって開口端部が塞がれる。従来、このエンドキャップは笠木に取り付けられていた。
【０００３】
【発明が解決しようとする課題】
この従来構造でもエンドキャップの必要とされる取付強度は得られるが、笠木はその建物の居住者等が直接触れる部材であって、エンドキャップにも触れることがあることを考慮すると、エンドキャップの取付強度を一層大きくすることが求められるようになった。
【０００４】
本発明の目的は、エンドキャップと建物躯体との結合性を確保し、エンドキャップの取付強度を大きくできるようになる笠木の端部構造を提供するところにある。
【０００５】
【課題を解決するための手段】
本発明に係る笠木の端部構造は、建物躯体に被せられる笠木と、この笠木の開口端部を塞ぐエンドキャップとを含んで形成される笠木の端部構造において、前記エンドキャップは、垂直な板状の端面部材と、この端面部材に端部が接合された水平な板状の取付部と、前記端面部材の前記取付部側の側面である前記笠木側の側面に取り付けられ、前記笠木の内面に弾性圧縮されて密着するシール部材とを有し、前記取付部には前記笠木の長さ方向に長い長孔が形成されているとともに、この取付部は、前記建物躯体に結合される中間部材に上方へ突出して形成された２個の突条の間に嵌合された状態でこの中間部材に載せられ、かつ、前記エンドキャップは、前記取付部の長孔に挿通されたビスによって前記中間部材と共に前記建物躯体に共締め結合で取り付けられていて前記笠木には取り付けられていないことを特徴とするものである。
【０００６】
本発明では、エンドキャップは笠木に取り付けられているのではなく、建物躯体に取り付けられているため、建物躯体への結合によりエンドキャップの取付強度は大きくなる。
【０００７】
ここで、笠木が被せられる建物躯体は、バルコニの腰壁でもよく、また、建物屋上のパラペットでもよく、さらには、建物窓外側のフラワー置き場の立ち壁でもよく、本発明に係る構造は任意な建物躯体に被冠される笠木に適用できる。
【０００８】
また、本発明に係る構造は、先端で手摺りを支持する支柱が設けられる笠木にも適用でき、支柱が設けられない笠木にも適用できる。
【０００９】
前述した本発明に係る笠木の端部構造では、建物躯体に結合される中間部材が用いられ、この中間部材を建物躯体との間に介設してエンドキャップを建物躯体に取り付けている。
【００１０】
このため、本発明によると、建物躯体に凹凸があっても、中間部材の平坦な面にエンドキャップを当てがうことにより、エンドキャップの所定通りの正確な姿勢を確保できることになる。
【００１１】
ここでいう中間部材とは、笠木を建物躯体に取り付けるためのブラケットでもよく、エンドキャップの所定通りの正確な姿勢を確保するためにだけ用意された専用の部材でもよい。そして、本発明に係る笠木の端部構造では、中間部材を建物躯体との間に介設してエンドキャップを建物躯体に取り付けるために、建物躯体に中間部材とエンドキャップを共締め結合している。
【００１２】
また、本発明に係る笠木の端部構造では、エンドキャップの笠木側の側面に、この笠木の内面と密着して防水シールするシール部材を設けている。このため、エンドキャップが建物躯体に取り付けられることにより、エンドキャップと笠木とが独立した関係になっていても、シール部材によってエンドキャップと笠木との間を確実に防水シールできることになる。
【００１３】
また、エンドキャップが建物壁面に近接配設される場合には、エンドキャップの笠木側とは反対側の側面には、建物壁面と前記笠木との間に充填されるコーキング材を受けるコーキング受け部材を設けることが好ましい。このようにすると、エンドキャップはコーキング受け部材を備えることによりコーキング材を受けるための部材としても使用されるようになり、部材の兼用化によって建物壁面と笠木との間のコーキング構造の簡単化を実現できる。
【００１４】
【発明の実施の形態】
以下に本発明の実施形態を図面に基づいて説明する。図１は、第１実施形態に係る笠木の端部構造の分解斜視図で、図２と図３は、その組立作業後を示す一部破断の正断面図と一部破断の側面図である。本実施形態において、笠木１が被せられる建物躯体はバルコニの腰壁２である。
【００１５】
この腰壁２の上面にはブラケット３が取り付けられる。図１に示されている通り、ブラケット３は前後両端から斜め下方に延びる下方延出部４を備え、これらの先端は互いに対向する内方に折曲した係止部４Ａとなっている。また下方延出部４の上端からは斜め上方に延びる上方延出部５が形成され、これらの先端は係止部４Ａと同じく内方に折曲した折曲部５Ａとなっている。ブラケット３の本体部６は水平な平坦であり、この本体部６には上方に突出する２個の突条７が前後方向に離れて形成されている。これらの突条７には複数の孔８と１個の孔９が設けられ、ブラケット３を腰壁２の上面に載せた後、それぞれの孔８にビス１０を挿通し、これらのビス１０を、図２で示すように腰壁２内に埋設されているアンカー部材１１に螺入することにより、ブラケット３は腰壁２の上面に結合される。
【００１６】
図１で示すようにエンドキャップ１２は、垂直な板状の端面部材１３と、この端面部材１３に端部の屈曲部１４Ａがリベット１５で接合された水平な板状の取付部１４とからなり、この取付部１４には長孔１６が形成されている。また、端面部材１３の取付部１４側の側面、すなわち笠木１側の側面には、多孔質の弾性材からなるシール部材１７が取り付けられ，このシール部材１７は、端面部材１３の上端縁近くに設けられ、この上端縁と平行に延びる第１延出部１７Ａと、第１延出部１７Ａの両端から端面部材１３の前後端縁近くに設けられ、これらの前後端縁と平行に延びる第２延出部１７Ｂとからなる。
【００１７】
取付部１４をブラケット３の本体部６の突条７間に載せ、この後、孔１６にビス１８を挿通し、このビス１８をブラケット３の孔９にも挿通して図２で示された腰壁２内に埋設されているアンカー部材１９に螺入することにより、エンドキャップ１２はブラケット３と共に腰壁２に共締めされる。これにより、エンドキャップ１２は腰壁２の上面に取り付けられたことになる。
【００１８】
なお、エンドキャップ１２の孔１６は、図１に示されているように、腰壁２の長手方向、言い換えると笠木１の長手方向に長い長孔であるため、腰壁２へのエンドキャップ１２の取り付けは、この方向にエンドキャップ１２を位置調整しながら行える。また、長孔１６が形成されているエンドキャップ１２の取付部１４は、ブラケット３の本体部６の上面に２個の突条７間に嵌合された状態で載せられるため、１本のビス１８によってエンドキャップ１２の取り付けを行っても、ビス１８を中心にエンドキャップ１２が回転するのをこれらの突条７で阻止できる。
【００１９】
以上の作業後、笠木１を腰壁２の上面に被せる作業を行う。笠木１は、図３に示されているように水勾配を有する上面部１９と、図１で示すようにこの上面部１９の前後端部から垂直下方に延びる下方延出部２０とからなり、これらの下方延出部２０の先端は互いに対向する内方に折曲したフック部２０Ａとなっている。笠木１を腰壁２の上面に被せる作業は、下方延出部２０を外側に湾曲弾性変形させてフック部２０Ａを図３で示すようにブラケット３の前記係止部４Ａに係止するとともに、上面部１９の裏面をブラケット３の図１で示された前記折曲部５Ａに載せることにより行う。ブラケット３は図２に示されている通り腰壁２の長手方向に複数配置されており、それぞれのブラケット３の係止部４Ａにフック部２０Ａを係止し、折曲部５Ａ上にブラケット３の上面部１９の裏面を載せる。これにより、笠木１は複数のブラケット３を介して腰壁２に取り付けられたことになる。
【００２０】
なお、本実施形態では図２に示されているように、笠木１にはベース部材２１を介して支柱２２が立設され、この支柱２２の上端に手摺り２３が支持されている。
【００２１】
以上のように笠木１をブラケット３を介して腰壁２に取り付けたときには、エンドキャップ１２によって笠木１の開口端部が塞がれているとともに、端面部材１３における笠木１側の側面に設けられた前記シール部材１７は、笠木１の内面に弾性密着している。具体的には図３に示す通り、このシール部材１７の第１延出部１７Ａは笠木１の上面部１９の裏面に、第２延出部１７Ｂは笠木１の下方延出部２０の裏面にそれぞれ弾性圧縮されて密着している。
【００２２】
この実施形態によると、エンドキャップ１２は笠木１ではなく、建物躯体である腰壁２に取り付けられているため、建物躯体との結合性が確保されることによってエンドキャップ１２の取付強度を大きくできる。
【００２３】
また、エンドキャップ１２は腰壁２の上面に直接載せられて取り付けられているのではなく、ブラケット３を中間部材とし、この中間部材を腰壁２との間に介設して腰壁２の上面に取り付けられているため、腰壁２の上面が凹凸面になっていても、ブラケット３の本体部６の水平な平坦面によってエンドキャップ１２の所定通りの正確な姿勢である水平状態を確保できる。
【００２４】
さらに、ブラケット１２はもともと笠木２を腰壁２に取り付けるための部材であるため、エンドキャップ１２の水平状態を確保するために特別の部材を用意する必要がなく、部材の兼用化により構造の簡単化を図ることができる。
【００２５】
また、エンドキャップ１２の端面部材１３における笠木１側の側面には、笠木１の内面と密着するシール部材１７が設けられているため、エンドキャップ１２が建物躯体に取り付けられることにより、このエンドキャップ１２が笠木１から独立していても、エンドキャップ１２と笠木１との間をシール部材１７で防水シールすることができ、エンドキャップ１２が笠木１に取り付けられていると同様な水密性を確保できる。
【００２６】
図４、図５は、第２実施形態を示す。前記実施形態と同一の部材には同じ符号を付し、その説明は省略する。
【００２７】
この実施形態は、図５に示す通り建物の構造上、エンドキャップ１２が建物壁面３０に近接配設される場合である。エンドキャップ１２の端面部材１３における笠木１側とは反対側の側面には、多孔質の弾性材からなるコーキング受け部材３１が取り付けれられている。このコーキング受け部材３１は図面上では中抜きされた四角枠状のものとなっているが、中抜きされていないものでもよい。エンドキャップ１２がブラケット３に載せられて腰壁２に取り付けられるとき、コーキング受け部材３１は建物壁面３０に押し当てられ、そして、ブラケット３への笠木１の取り付けが行われる。
【００２８】
この後、建物壁面３０に塗料３２を塗布する作業等が行われるとともに、建物壁面３０と笠木１との間にコーキング材３３を充填する作業を行う。この充填はコーキング材３３をコーキング受け部材３１で受けさせながら行う。
【００２９】
このため、この実施形態によると、コーキング受け部材３１を備えたエンドキャップ１２によりコーキング材３３を受けることができるようになり、エンドキャップ１２は笠木１の単に開口端部を塞ぐ部材ではなくなり、コーキング材３３を受ける部材ともなり、このため、部材点数を削減できて建物壁面３０と笠木１との間のコーキング構造の簡単化を達成できる。
【００３０】
図６、図７は、第３実施形態を示す。この実施形態は、建物躯体であるバルコニの腰壁２と、建物壁面３０’とが接続されている場合である。エンドキャップ１２の端面部材１３’は、腰壁２に跨ることができるように、下向きに開口した逆Ｕ字形状になっており、この端面部材１３’における笠木１側とは反対側の側面に取り付けられているコーキング受け部材３１’も逆Ｕ字状になっている。
【００３１】
この実施形態でも、エンドキャップ１２がブラケット３に載せられて腰壁２に取り付けられるとき、コーキング受け部材３１’は建物壁面３０’に押し当てられ、そして、ブラケット３への笠木１の取り付けが行われる。この後、建物壁面３０’に塗料３２を塗布する作業等が行われるとともに、建物壁面３０’と笠木１との間にコーキング材３３を充填する作業が行われ、この充填は、コーキング材３３をコーキング受け部材３１’で受けさせながら行う。
【００３２】
このため、この実施形態でもコーキング受け部材３１’を備えたエンドキャップ１２によりコーキング材３３を受けることができ、エンドキャップ１２は笠木１の単に開口端部を塞ぐための部材ではなくなり、エンドキャップ１２が２個の機能を有する兼用化部材となるため、建物壁面３０と笠木１との間のコーキング構造の簡単化を達成できる。
【００３３】
【発明の効果】
本発明によると、笠木の開口端部を塞ぐためのエンドキャップを建物躯体に取り付けたため、エンドキャップと建物躯体との結合性を確保し、エンドキャップの取付強度を大きくできるようになる。
【図面の簡単な説明】
【図１】本発明の第１実施形態に係る構造を示す分解斜視図である。
【図２】第１実施形態の組立後を示す一部破断の正断面図である。
【図３】第１実施形態の組立後を示す一部破断の側面図である。
【図４】第２実施形態を示す図１と同様の図である。
【図５】第２実施形態を示す図２と同様の図である。
【図６】第３実施形態を示す図１と同様の図である。
【図７】第３実施形態を示す図２と同様の図である。
【符号の説明】
１  笠木
２  建物躯体であるバルコニの腰壁
３  中間部材である笠木取付用ブラケット
１２  エンドキャップ
１３，１３’  エンドキャップの端面部材
１７  シール部材
３０，３０’  建物壁面
３１，３１’  コーキング受け部材
３３  コーキング材
【図１】
0003560759.tif 000002
【図２】
0003560759.tif 000003
【図３】
0003560759.tif 000004
【図４】
0003560759.tif 000005
【図５】
0003560759.tif 000006
【図６】
0003560759.tif 000007
【図７】
0003560759.tif 000008